(57)【特許請求の範囲】
【請求項１】
筐体内に弾性的に吊支した外槽と、回転中心軸を略鉛直方向に有し前記外槽内に回転自在に支持した内槽と、前記内槽の上部を覆うように開閉可能に設けた蓋体と、前記内槽の内底部に回転自在に設けた回転翼と、前記内槽または回転翼を駆動する駆動手段と、前記内槽内に温風を送風する乾燥用送風機とヒータで構成された温風送風手段と、熱交換器を有し前記温風送風手段による温風を循環させる温風循環経路と、送風温度を検知するサーミスタと、前記熱交換器などを冷却する冷却手段と、前記駆動手段、温風送風手段、冷却手段などの動作を制御し、洗い、すすぎ、脱水、乾燥などの行程を制御する制御手段とを備え、前記冷却手段は、前記熱交換器内に給水し冷却する水冷手段と、前記熱交換器または外槽の外壁を送風冷却する空冷手段とで構成し、制御手段は、乾燥行程で前記蓋体をロックするとともに、前記サーミスタで検知した温度により内槽内が高温と判定された状態において一時停止した場合、所定時間前記水冷手段、空冷手段の両方を動作させて、前記熱交換器または外槽で冷却され内槽内を循環する循環風により内槽内を冷却し、その後前記水冷手段を停止するとともに前記空冷手段を動作させて、前記熱交換器または外槽で冷却され内槽内を循環する循環風により前記ヒータを乾燥させるようにした洗濯乾燥機。
【発明の詳細な説明】
【０００１】
【発明の属する技術分野】
本発明は、回転中心軸を略鉛直方向に有する内槽内に温風を送風して衣類を乾燥させる行程を有し、洗濯から乾燥までを一貫して実施できる洗濯乾燥機に関するものである。
【０００２】
【従来の技術】
従来、この種の洗濯乾燥機は図３に示すような構成が提案されている。以下、その構成について説明する。
【０００３】
図３に示すように、筐体１は、内部に複数のサスペンション２によって弾性的に吊り下げた外槽３を設け、脱水時の振動をサスペンション２によって吸収する構成としている。外槽３の内部には、洗濯物および乾燥対象物を収容する内槽４を中空で２重構造とした洗
濯／脱水軸５を中心に回転可能に配設し、内槽４の内底部に衣類（洗濯物や乾燥対象物）を撹拌する回転翼６を回転自在に配設している。
【０００４】
また、内槽４の内部周壁には小孔（図示せず）を多数設けるとともに、上方には流体バランサ７を設けている。回転翼６は外周部に傾斜面８を有する略皿状の基盤の上面に撹拌用突出部９を形成することにより、乾燥行程においては、乾燥対象物を回転翼６の回転による遠心力で傾斜面８に沿って上方へと舞い上がりやすくしている。
【０００５】
モータ１０は、外槽３の底部に取り付け、洗濯または脱水時に回転力の伝達を洗濯／脱水軸５に切り換えるクラッチ１１と洗濯／脱水軸５を介して、内槽４または回転翼６に連結している。
【０００６】
熱交換器１２は、循環する湿った温風を除湿するもので、一端を伸縮自在の下部蛇腹状ホース１３を介して外槽３の下部に接続し、他端を乾燥用送風機１４の一端に接続している。乾燥用送風機１４の他端は、加熱手段であるヒータ１５を有する温風供給路１６に接続し、上部蛇腹状ホース１７を通って内槽４へ繋がり、循環する温風循環経路１８を構成している。乾燥用送風機１４とヒータ１５とで温風送風手段を構成している。
【０００７】
外槽３には、外槽３の上面を気密的に覆う外槽カバー１９を設けており、この外槽カバー１９に伸縮自在の上部蛇腹状ホース１７からの温風噴出孔２０を開口している。また、この外槽カバー１９に中蓋２１を開閉自在に設け、衣類を出し入れするようにしている。
【０００８】
筐体カバー２２は筐体１の上部を覆うもので、開閉蓋２３を開閉自在に有し、操作表示手段２４を設けるとともに、内槽４に給水する給水弁２５を設けている。また、外槽３の底部に外槽３内に水を排水する排水弁２６を設けている。冷却用送風機２７は、筐体１の側面に取り付け、筐体１の内部の外槽３、熱交換器１２などを冷却するように送風できるよう構成している。
【０００９】
制御装置２８は、マイクロコンピュータを具備し、モータ１０、クラッチ１１、乾燥用送風機１４、ヒータ１５、給水弁２５、排水弁２６、冷却用送風機２７などの動作を制御し、洗い、すすぎ、脱水、乾燥の一連の行程を逐次制御するように構成している。
【００１０】
サーミスタ２９は熱交換器１２の外壁の温度を検知するもので、サーミスタ３０は熱交換器１２の出口の循環風温度を検知するものである。制御装置２８は、これらサーミスタ２９、３０による検知出力を入力し、乾燥終了を判定するよう構成している。
【００１１】
上記構成において動作を説明する。洗い行程では、開閉蓋２３と中蓋２１を開けて、内槽４に衣類（洗濯物）を投入し運転を開始すると、給水弁２５を開いて所定の水位まで給水した後、モータ１０を駆動する。このとき、伝達機構部のクラッチ１１によりモータ１０の動力を洗濯軸を介して回転翼６に伝達し、回転翼６が回転することで、回転翼６の撹拌用突出部９により衣類を撹拌し、洗濯物同士、または内槽４の内壁や回転翼６との接触により作用する機械力と、水流力により行われる。
【００１２】
脱水行程では、洗濯終了後、排水弁２６を開いて内槽４内の水を排水した後、伝達機構部のクラッチ１１を脱水側に切り換えて、モータ１０の動力を脱水軸を介し内槽４に伝達して回転させ、衣類に遠心力を与えることにより、水分を衣類から分離することで行う。脱水行程が終了すると引きつづいて乾燥行程に入る。
【００１３】
乾燥行程に入ると、クラッチ１１を洗濯側に切り換えてモータ１０を駆動して回転翼６に伝達し、回転翼６を急速に正転、反転することで、脱水後に内槽４の内壁に張り付いた
衣類を引き剥がす。つぎに、排水弁２６を閉じて回転翼６を正転、反転させて撹拌用突出部９で衣類を引っかけて撹拌しながら、乾燥用送風機１４とヒータ１５とで構成した温風送風手段により温風を温風噴出孔２０に送る。温風噴出口２０より内槽４に吹き込まれた温風は、衣類から水分を蒸発させた後、内槽４から外槽３の内側へ出た後、下部蛇腹状ホース１３を通過して、熱交換器１２へ至る。
【００１４】
衣類の水分を奪って湿気を含んだ温風が、外槽３の内壁や熱交換器１２内を通過しているとき、筐体１の側面に設置した冷却送風機２７による外部空気の流入で、外槽３や熱交換器１２の外壁は冷却されることになり、その内部では、水分の結露が起こり、湿った温風は除湿されて乾燥用送風機１４に戻る。この温風循環経路１８で温風を循環させることにより、内槽４内の衣類を乾燥させることができる。
【００１５】
ここで、乾燥行程の途中で運転を一時停止し、中の衣類を取り出そうとしても、外槽３や内槽４の温度が高いため、開閉蓋２３を開けるできない。このため、内槽４内の温度を下げるために、ヒータ１５の動作を停止し、乾燥用送風機１４と筐体１の側面に配置した冷却送風機２７を駆動し、外槽３や内槽４を冷却してから、開閉蓋２３を開閉できるよう構成している。
【００１６】
【発明が解決しようとする課題】
しかしながらこのような従来の構成では、脱水行程での外槽３の振れ廻りなどを考慮した筐体１内の限られたスペースで、温風循環経路１８を構成しなければならず、熱交換器１２も充分な冷却面積を確保できなかった。また、外気によって熱交換器１２内を循環する温風を間接的に冷却する空冷方式は、広い熱交換面積を必要とすると同時に、間接的であるがゆえに冷却能力も低いものであった。
【００１７】
このため、乾燥行程の途中で運転を一時停止し、中の衣類を取り出すとき、ヒータ１５の動作を停止し、乾燥用送風機１４と冷却送風機２７駆動して、内槽４内３の温度を下げるのに必要な時間が長くかかり、使い勝手が悪いという問題を有していた。
【００１８】
また、冷却行程において熱交換器１２の冷却手段が故障などによって停止、または性能低下した場合、不要に冷却時間が延びて衣類を傷めたり、開閉蓋の開閉に時間がかかるなどの品質、性能の面で問題となっていた。
【００１９】
本発明は上記課題を解決するもので、熱交換器の熱交換性能を向上して冷却効果を高くするとともに、乾燥行程を一時停止し蓋体を開閉できるまでの冷却時間を効率的に短縮して使い勝手を向上し、屋内結露等の少ない信頼性の高い洗濯乾燥機を実現することを目的としている。
【００２０】
【課題を解決するための手段】
本発明は上記目的を達成するために、筐体内に弾性的に吊支した外槽内に、回転中心軸を略鉛直方向に有する内槽を回転自在に支持し、内槽の上部を覆うように蓋体を開閉可能に設け、内槽の内底部に回転翼を回転自在に設け、内槽または回転翼を駆動手段により駆動し、乾燥用送風機とヒータで構成された温風送風手段により内槽内に送風する温風を熱交換器を有する温風循環経路を循環させ、制御手段により駆動手段、温風送風手段、冷却手段などの動作を制御し、洗い、すすぎ、脱水、乾燥などの行程を制御するよう構成し、熱交換器などを冷却する冷却手段は、熱交換器内に給水し冷却する水冷手段と、熱交換器または外槽の外壁を送風冷却する空冷手段とで構成し、制御手段は、乾燥行程で蓋体をロックするとともに、サーミスタで検知した温度により内槽内が高温と判定された状態において一時停止した場合、所定時間水冷手段、空冷手段の両方を動作させて、熱交換器または外槽で冷却され内槽内を循環する循環風により内槽内を冷却し、その後水冷手段を停止
するとともに空冷手段を動作させて、熱交換器または外槽で冷却され内槽内を循環する循環風によりヒータを乾燥させるようにしたものである。
【００２１】
これにより、熱交換器の熱交換性能を向上して冷却効果を高くすることができ、乾燥行程を一時停止し、蓋体を開閉できるまでの冷却時間を効率的に短縮できて使い勝手を向上することができ、屋内結露等の少ない信頼性の高い洗濯乾燥機を実現することができる。
【００２２】
【発明の実施の形態】
本発明の請求項１に記載の発明は、筐体内に弾性的に吊支した外槽と、回転中心軸を略鉛直方向に有し前記外槽内に回転自在に支持した内槽と、前記内槽の上部を覆うように開閉可能に設けた蓋体と、前記内槽の内底部に回転自在に設けた回転翼と、前記内槽または回転翼を駆動する駆動手段と、前記内槽内に温風を送風する乾燥用送風機とヒータで構成された温風送風手段と、熱交換器を有し前記温風送風手段による温風を循環させる温風循環経路と、送風温度を検知するサーミスタと、前記熱交換器などを冷却する冷却手段と、前記駆動手段、温風送風手段、冷却手段などの動作を制御し、洗い、すすぎ、脱水、乾燥などの行程を制御する制御手段とを備え、前記冷却手段は、前記熱交換器内に給水し冷却する水冷手段と、前記熱交換器または外槽の外壁を送風冷却する空冷手段とで構成し、制御手段は、乾燥行程で前記蓋体をロックするとともに、前記サーミスタで検知した温度により内槽内が高温と判定された状態において一時停止した場合、所定時間前記水冷手段、空冷手段の両方を動作させて、前記熱交換器または外槽で冷却され内槽内を循環する循環風により内槽内を冷却し、その後前記水冷手段を停止するとともに前記空冷手段を動作させて、前記熱交換器または外槽で冷却され内槽内を循環する循環風により前記ヒータを乾燥させるようにしたものであり、熱交換器の熱交換性能を向上して冷却効果を高くすることができ、乾燥行程を一時停止し、蓋体を開閉できるまでの冷却行程において水冷手段と空冷手段のダブルの冷却効果により内槽内の冷却時間を効率的に短縮できて使い勝手を向上することができ、屋内結露等の少ない信頼性の高い洗濯乾燥機を実現することができ、また、水冷に使用する水量を低減することができる。さらに、所定時間水冷手段、空冷手段の両方を駆動し、その後空冷手段を駆動することによりヒータを乾かし、熱交換器の水滴を取り除くことができる。
【００２３】
【実施例】
以下、本発明の実施例について、図面を参照しながら説明する。なお、従来例と同じ構成のものは同一符号を付して説明を省略する。
【００２４】
（実施例１）
図１に示すように、給水弁３１は、洗い、すすぎ行程で内槽４内に給水する洗濯用給水弁と、乾燥行程で熱交換器３２に給水する乾燥用給水弁とを一体に構成し、乾燥用給水弁より冷水ホース３３を通して熱交換器３２内に送水するようにし、給水弁３１と冷水ホース３３とで熱交換器３２を冷却する水冷手段を構成している。さらに、冷却用送風機３４は、外槽３の外壁と熱交換器３２の表面を送風冷却するもので、空冷手段を構成している。
【００２５】
熱交換器３２は、一端を伸縮自在の下部蛇腹状ホース１３を介して外槽３の下部に接続し、他端を乾燥用送風機１４の一端に接続している。乾燥用送風機１４の他端は、加熱手段であるヒータ１５を有する温風供給路１６に接続し、上部蛇腹状ホース１７を通って内槽４へ繋がり、循環する温風循環経路３５を構成している。
【００２６】
サーミスタ３６は熱交換器３２の外壁表面に取り付け、熱交換器３２の外壁の温度を検知するもので、サーミスタ３７は熱交換器３２の出口の循環風温度を検知するものである。
【００２７】
制御装置（制御手段）３８は、マイクロコンピュータを具備し、モータ（駆動手段）１０、クラッチ１１、乾燥用送風機（温風送風手段）１４、ヒータ（温風送風手段）１５、排水弁２６、給水弁３１、冷却用送風機３４などの動作を制御し、洗い、すすぎ、脱水、乾燥の各行程を制御すると同時に、サーミスタ３６とサーミスタ３７の検知温度に基づいて、温風循環経路３５の循環風温度と、熱交換器３２の外壁温度の差温値の変化量によって乾燥終了するよう構成している。
【００２８】
また、制御装置３８は、乾燥行程で開閉蓋（蓋体）２３をロックして開閉できないようにするとともに、乾燥行程の途中で一時停止しとき、外槽３と内槽４の温度が高いとき、水冷手段と空冷手段とを動作させる冷却行程に入り、熱交換器３２または外槽３で冷却され内槽４内を循環する循環風により内槽４内を冷却するようにしている。
【００２９】
上記構成において動作を説明する。なお、洗い行程から脱水行程までの動作は従来例の動作と同じであるので説明を省略する。
【００３０】
乾燥行程に入ると、クラッチ１１を洗濯側に切り換えてモータ１０を駆動して回転翼６に伝達し、回転翼６を急速に正転、反転することで、脱水後に内槽４の内壁に張り付いた衣類を引き剥がす。つぎに、回転翼６を正転、反転させて撹拌用突出部９で衣類を引っかけて撹拌しながら、乾燥用送風機１４とヒータ１５とで構成した温風送風手段により温風を温風噴出孔２０に送る。温風噴出口２０より内槽４に吹き込まれた温風は、衣類から水分を蒸発させた後、内槽４から外槽３の内側へ出た後、下部蛇腹状ホース１３を通過して、熱交換器３２へ至る。
【００３１】
衣類から水分を奪って高湿になった温風は、熱交換器３２を通過するとき、冷却用送風機３４により送られる送風によって、熱交換器３２の壁面を介して熱交換され、冷やされて結露点に達した温風は、熱交換器３２の内壁面に結露水を形成する。
【００３２】
このとき、同時に、給水弁３１より冷水ホース３３を通して熱交換器３２内に毎分約０．４リッターの冷却水（水道水）を送水し、この熱交換器３２内に送水された冷却水は段部３９に当たって飛沫として反射する。この飛沫に高湿の温風が当たることにより、冷却されると同時に熱交換され、同様にして結露水を形成する。結露水は冷却水とともに排水弁２６を通して機外へ排水される。
【００３３】
このようにして、高湿の温風は、熱交換器３２内で冷却用送風機３４による空冷と、冷水ホース３３を通して送水される冷却水による水冷とにより熱交換されて除湿され、乾燥用送風機１４に戻る。このように温風循環経路３５で温風を循環させることにより、内槽４内の衣類を乾燥させることができる。
【００３４】
図２は、乾燥行程におけるサーミスタ３７による検知温度ＴＨ１と、サーミスタ３６による検知温度ＴＨ２および検知温度ＴＨ１と検知温度ＴＨ２の差温値ＴＨ１−ＴＨ２を表している。図２を基に乾燥行程の進行に伴う温風循環経路３５の状態の変化を説明する。
【００３５】
図２に示す恒率乾燥期Ｔ２は衣類からの蒸発水分量が一定（平衡状態）であり、冷却風および冷却水による冷却効果は凝縮という状態変化に費やされ、熱交換器３２の壁面温度は平衡状態を保ったままとなる。したがって、熱交換器３２の壁面温度を検知するサーミスタ３２の検知温度ＴＨ２も一定の値を示す。
【００３６】
さらに、乾燥が進行し衣類からの蒸発水分量が徐々に減少し、温風の温度が上昇していく減率乾燥期Ｔ３では、温風の相対湿度（水分量）が徐々に下がっていくため、熱交換器
３２の壁面での凝縮に費やされる交換熱量も減少してくる。したがって、熱交換器３２内で冷却用送風機３４による空冷と冷水ホース３３を通して送水される冷却水による水冷とにより熱交換器３２の壁面を冷やし始め、その結果、熱交換器３２の壁面温度が下がってくる。
【００３７】
この熱交換器３２の壁面における状態変化をサーミスタ３６によって検知する。さらに、循環風の恒率乾燥期Ｔ２から減率乾燥期間Ｔ３に至る温度上昇をサーミスタ３７で温度ＴＨ１を検知し、サーミスタ３６の検知温度ＴＨ２との差をとることによって、より明確に変曲点を判定することができ、所定の遅延時間を設け、十分に乾燥させてから乾燥行程を終了する。
【００３８】
上記乾燥行程において、一時停止したときサーミスタ３６、３７により温度を検知し、外槽３と内槽４の温度が高いとき、開閉蓋２３が開閉できない構成になっているので、冷却行程にはいる。このとき、制御装置３８は冷水ホース３３を通して送水させる冷却水による水冷手段と外槽３の外壁を送風冷却する空冷手段とを動作させる。
【００３９】
このため、冷却用送風機３４による空冷と冷水ホース３３を通して送水させる冷却による水冷とによって、熱交換器３２の熱交換性能を向上することができ、冷却効果を高くできて、内槽４内の温度を短時間で低下させることができ、乾燥行程を停止してから開閉蓋２３を開閉できるまでの冷却時間を効果的に短縮することができ、屋内結露等の少ない信頼性の高い洗濯乾燥機を実現することができる。
【００４０】
なお、本実施例では、乾燥行程の途中で一時停止しとき、外槽３と内槽４の温度が高いとき、水冷手段と空冷手段とを動作させるようにしているが、水冷手段、空冷手段の少なくともいずれかを動作させるようにしてもよく、同様の作用効果を得ることができる。
【００４１】
また、本実施例では、乾燥行程で開閉蓋２３をロックして開閉できないようにしているが、開閉蓋２３に代えて、中蓋２３をロックするようにしてもよく、同様の作用効果を得ることができる。
【００４２】
また、本実施例では、乾燥行程の途中で一時停止しとき、外槽３と内槽４の温度が高いとき、水冷手段と空冷手段とを動作させ、内槽４内の温度を低下させてから開閉蓋２３を開閉できるようにしているが、開閉蓋２３を開閉した後、再スタートして乾燥行程を続行してもよく、再スタートせずに終了してもよい。
【００４３】
（実施例２）
図１に示す制御装置（制御手段）３８は、乾燥行程で開閉蓋（蓋体）２３をロックして開閉できないようにするとともに、乾燥行程の途中で一時停止しとき、サーミスタ３７による検知温度ＴＨ１（温風循環経路３５の循環風温度）とサーミスタ３６による検知温度ＴＨ２（熱交換器３２の外壁温度）との温度が所定温度以上であるとき、冷水ホース３３を通して送水させる冷却水による水冷手段と外槽３の外壁を送風冷却する空冷手段とを動作させる冷却行程に入り、熱交換器３２、外槽３、内槽４などの冷却を開始するよう構成している。他の構成は上記実施例１と同じである。
【００４４】
上記構成において動作を説明する。乾燥行程を一時停止し、開閉蓋２３を開閉できるまでの冷却行程において、水冷手段と空冷手段のダブルの冷却効果により内槽４内の冷却時間を短縮することができて、開閉蓋２３を開閉できるまでの時間を短縮できて使い勝手を向上することができ、また、水冷に使用する水量を低減することができる。
【００４５】
（実施例３）
図１に示す制御装置（制御手段）３８は、乾燥行程で開閉蓋（蓋体）２３をロックして開閉できないようにするとともに、乾燥行程の途中で一時停止しとき、サーミスタ３７による検知温度ＴＨ１（温風循環経路３５の循環風温度）とサーミスタ３６による検知温度ＴＨ２（熱交換器３２の外壁温度）との温度が所定温度以下であるとき、冷却用送風機３４による空冷を所定時間行った後、冷却用送風機３４による空冷手段と冷水ホース３３を通して送水される冷却水による水冷手段の両方を動作させる冷却行程に行い、熱交換器３２、外槽３、内槽４などの冷却を開始するよう構成している。他の構成は上記実施例１と同じである。
【００４６】
上記構成において動作を説明する。乾燥行程を一時停止し、開閉蓋２３を開閉できるまでの冷却行程において、外槽３と内槽４の温度が低いので。空冷手段により温度を下げることができ、その後、水冷手段、空冷手段の両方を駆動するため、水冷に使用する水量も低減でき、効率的な冷却性能を確保することができる。
【００４７】
（実施例４）
図１に示す制御装置（制御手段）３８は、乾燥行程で開閉蓋（蓋体）２３をロックして開閉できないようにするとともに、乾燥行程の途中で一時停止しとき、サーミスタ３７による検知温度ＴＨ１（温風循環経路３５の循環風温度）とサーミスタ３６による検知温度ＴＨ２（熱交換器３２の外壁温度）との温度が所定温度以上であるとき、冷却用送風機３４による空冷手段と冷水ホース３３を通して送水される冷却水による水冷手段の両方を所定時間動作させた後、冷却用送風機３４により空冷する冷却行程に行い、熱交換器３２、外槽３、内槽４などの冷却を開始するよう構成している。他の構成は上記実施例１と同じである。
【００４８】
上記構成において動作を説明する。乾燥行程を一時停止し、開閉蓋２３を開閉できるまでの冷却行程において、まず、冷却用送風機３４による空冷手段と冷水ホース３３を通して送水される冷却水による水冷手段の両方を所定時間動作させることで、内槽４内の冷却時間を短縮することができて、開閉蓋２３を開閉できるまでの時間を短縮できて使い勝手を向上することができ、また、最後に空冷をすることによりヒータ１５を乾かし、熱交換器３２の水滴を取り除くことができ、安全性を向上することができる。
【００４９】
（実施例５）
図１に示す制御装置（制御手段）３８は、冷却行程中に、給水弁３１より冷水ホース３３を通して送水される冷却水が停止し動作不能となったとき、または冷却用送風機３４による空冷が停止し動作不能になったとき、他方を代替して動作させるよう構成している。他の構成は上記実施例１と同じである。
【００５０】
上記構成において動作を説明する。冷却行程中に、給水弁３１より冷水ホース３３を通して送水される冷却水が停止し、または冷却用送風機３４による空冷が停止したとき、サーミスター３６、３７によって、温度が下降していないことを検知し、他方の冷却手段を代替して駆動させる。
【００５１】
これによって、給水弁３１または冷水ホース３３の故障により冷却水が停止したとき、または冷却用送風機３４が故障し停止したときでも、冷却手段の故障により、開閉蓋２３のロック解除までに時間がかかるのを防止でき、信頼性を向上することができる。
【００５２】
【発明の効果】
以上のように本発明の請求項１に記載の発明によれば、筐体内に弾性的に吊支した外槽と、回転中心軸を略鉛直方向に有し前記外槽内に回転自在に支持した内槽と、前記内槽の上部を覆うように開閉可能に設けた蓋体と、前記内槽の内底部に回転自在に設けた回転翼
と、前記内槽または回転翼を駆動する駆動手段と、前記内槽内に温風を送風する乾燥用送風機とヒータで構成された温風送風手段と、熱交換器を有し前記温風送風手段による温風を循環させる温風循環経路と、送風温度を検知するサーミスタと、前記熱交換器などを冷却する冷却手段と、前記駆動手段、温風送風手段、冷却手段などの動作を制御し、洗い、すすぎ、脱水、乾燥などの行程を制御する制御手段とを備え、前記冷却手段は、前記熱交換器内に給水し冷却する水冷手段と、前記熱交換器または外槽の外壁を送風冷却する空冷手段とで構成し、制御手段は、乾燥行程で前記蓋体をロックするとともに、前記サーミスタで検知した温度により内槽内が高温と判定された状態において一時停止した場合、所定時間前記水冷手段、空冷手段の両方を動作させて、前記熱交換器または外槽で冷却され内槽内を循環する循環風により内槽内を冷却し、その後前記水冷手段を停止するとともに前記空冷手段を動作させて、前記熱交換器または外槽で冷却され内槽内を循環する循環風により前記ヒータを乾燥させるようにしたから、熱交換器の熱交換性能を向上して冷却効果を高くすることができ、乾燥行程を一時停止し、蓋体を開閉できるまでの冷却行程において水冷手段と空冷手段のダブルの冷却効果により内槽内の冷却時間を効率的に短縮できて使い勝手を向上することができ、屋内結露等の少ない信頼性の高い洗濯乾燥機を実現することができ、また、水冷に使用する水量を低減することができる。さらに、所定時間水冷手段、空冷手段の両方を駆動し、その後空冷手段を駆動することによりヒータを乾かし、熱交換器の水滴を取り除くことができる。
【図面の簡単な説明】
【図１】  本発明の第１の実施例の洗濯乾燥機の縦断面図
【図２】  同洗濯乾燥機の乾燥行程での動作タイムチャート
【図３】  従来の洗濯乾燥機の縦断面図
【符号の説明】
１  筐体
３  外槽
４  内槽
６  回転翼
１０  モータ（駆動手段）
１４  乾燥用送風機（温風送風手段）
１５  ヒータ（温風送風手段）
２３  開閉蓋（蓋体）
３１  給水弁（水冷手段）
３２  熱交換器
３３  冷水ホース（水冷手段）
３４  冷却用送風機（空冷手段）
３５  温風循環経路
３８  制御装置（制御手段）
【図１】
0004622188.tif 000002
【図２】
0004622188.tif 000003
【図３】
0004622188.tif 000004